(57)【要約】【課題】  インストルメントパネルを補強するリーンフォースメント部材の板厚を増加させることなく、その剛性を確保するとともに、キャブボディの組みたて作業の効率化を図る車体構造を提供する。【解決手段】  車幅方向に延びるインパネフレーム(16)と、車両上下方向に延びインパネフレームを別個に支持する複数のサポート(26,30)と、車幅方向に延び各サポートの下端部分を繋ぐロアフレーム(34)とからなり、インパネフレームの両端が車体骨格に固定されることにより、インストルメントパネル(1)を補強するリーンフォースメント部材(4)であって、インパネフレーム、各サポート及びロアフレームによって閉空間(40)を構成させ、閉空間内に空調機器(8)を配設させて構成する。【選択図】      図３
2005255046.tif 000002
【特許請求の範囲】
【請求項１】
車幅方向に延びるインパネフレームと、車両上下方向に延び前記インパネフレームを別個に支持する複数のサポートと、前記車幅方向に延び前記各サポートの下端部分を繋ぐロアフレームとからなり、前記インパネフレームの両端が車体骨格に固定されることにより、インストルメントパネルを補強するリーンフォースメント部材であって、
前記インパネフレーム、各サポート及びロアフレームによって閉空間を構成させ、該閉空間内に空調機器を配設させることを特徴とする車体構造。
【請求項２】
前記サポートは、車両前後方向に延出される水平部と、該水平部の略中央部分よりも車両前方側から車両上下方向に延出される垂直部とを備え、
前記水平部では、前記水平部の略中央部分よりも乗員側の位置で前記インパネフレームに締結されていることを特徴とする請求項１に記載の車体構造。
【発明の詳細な説明】
【技術分野】
【０００１】
本発明は、車体構造に係り、詳しくは、車体骨格に支持されインストルメントパネルを補強するリーンフォースメント部材を備えた車体構造に関する。
【背景技術】
【０００２】
車室内において乗員の前方側にはインストルメントパネルが設けられる。このインストルメントパネルには種々の計器類などが配置されており、また、インストルメントパネルは、乗員を保護すべく柔軟な表皮材にウレタンフォーム等のスポンジ状部材を設けて構成されている。
一方、このインストルメントパネル自体はリーンフォースメント部材で補強され、このリーンフォースメント部材は車体骨格に締結されている。
【０００３】
そして、リーンフォースメント部材の剛性を確保すべく、パイプ状のフレームで構成させた車体構造の技術が提案されている（特許文献１）。
【特許文献１】特開平５−１７００１０号公報（段落番号０００９、図２等）
【発明の開示】
【発明が解決しようとする課題】
【０００４】
ところで、一般にインストルメントパネルの車両前方側（背面側）には空調装置が搭載されている。この空調装置は、蒸発器及びヒータコアを備えた空調ユニットや、ブロア、ダクト並びに操作表示部等から構成され、リーンフォースメント部材に固定される。
従来の技術において空調装置をリーンフォースメント部材に固定する場合には、まずリーンフォースメント部材にブラケットを溶接し、次いでこのブラケットを介して空調装置をリーンフォースメント部材に吊り下げることになる。しかしながら、この固定方法では、空調装置の重量に耐えるべく、リーンフォースメント部材自体でその剛性を確保しなければならず、これでは、リーンフォースメント部材の板厚等が増加してしまうとの問題がある。
【０００５】
また、空調装置とリーンフォースメント部材との固定は、キャブボディの組み立てラインで実施され、更に、インストルメントパネルの搭載を行った後に空調関係ケーブルの接続が実施されることにも留意しなければならない。すなわち、従来の技術では、キャブボディの組み立てラインの工数が空調装置の搭載作業分だけ増加するし、しかも、搭載後におけるケーブル接続による調整作業が難しくなるという問題が生ずるのである。
【０００６】
本発明は、このような課題に鑑みてなされたもので、インストルメントパネルを補強するリーンフォースメント部材の板厚を増加させることなく、その剛性を確保するとともに、キャブボディの組みたて作業の効率化を図る車体構造を提供することを目的とする。
【課題を解決するための手段】
【０００７】
上記の目的を達成するべく、請求項１記載の車体構造は、車幅方向に延びるインパネフレームと、車両上下方向に延びインパネフレームを別個に支持する複数のサポートと、車幅方向に延び各サポートの下端部分を繋ぐロアフレームとからなり、インパネフレームの両端が車体骨格に固定されることにより、インストルメントパネルを補強するリーンフォースメント部材であって、インパネフレーム、各サポート及びロアフレームによって閉空間を構成させ、閉空間内に空調機器を配設させることを特徴としている。
【０００８】
また、請求項２記載の発明では、サポートは、車両前後方向に延出される水平部と、水平部の略中央部分よりも車両前方側から車両上下方向に延出される垂直部とを備え、水平部では、水平部の略中央部分よりも乗員側の位置でインパネフレームに締結されていることを特徴としている。
【発明の効果】
【０００９】
従って、請求項１記載の本発明の車体構造によれば、４つのリーンフォースメント部材の構成部材によって井桁状の閉空間を構成させ、この井桁の中に蒸発器及びヒータコアを備える空調ユニットを配設させているので、当該空調ユニットがリーンフォースメント部材に対する鎹の如くの機能を奏することになる。従って、リーンフォースメント部材の板厚を増加させることなく、その剛性を確保することができる。この結果、リーンフォースメント部材に対する重量の軽減、ひいては製造コストの低廉化が図られる。
【００１０】
更に、井桁の中に空調ユニットを配設してリーンフォースメント部材と空調ユニットとの固定が済むことから、キャブボディの組み立てラインに至る前に、空調ユニット、ブロア、ダクト及び操作表示部等から構成された空調装置の組み立てが可能となる。つまり、キャブボディの組み立てラインでは、空調装置の搭載工程やこの搭載後の調整工程が削減され、キャブボディの組み立て作業の効率化に寄与する。
【００１１】
また、請求項２記載の発明によれば、車室内においてインパネフレームの下方側に位置するスペースが確保され、乗員席、特に乗員の足を配置させるスペースを十分に広い空間として設けることができる。
【発明を実施するための最良の形態】
【００１２】
以下、図面により本発明の実施形態について説明する。
当該図示の車体構造はトラックやバスの大型車両に用いられ、その車両の車室内において乗員の前方側にはインストルメントパネル１が設けられている。このインストルメントパネル１には種々の計器類などが配置され、乗員は表示板２を介して各種の運転状態を把握する。
【００１３】
また、このインストルメントパネル１は、例えば樹脂製の柔軟な表皮材で構成されており、この表皮材の裏面に所定肉厚のウレタンフォーム等のスポンジ状部材を設けて一体成形されている。更に、インストルメントパネル１は、表示板２を配設させた部分の乗員側ではステアリングコラム３を跨いで設置されている。なお、表示板２を配設させた部分の車両前方側には駆動系装置類が配設されている。
【００１４】
このインストルメントパネル１はリーンフォースメント部材４で補強される。当該リーンフォースメント部材４は、鋼板で構成されており、インストルメントパネル１の背面側にて車幅方向に延出されている。この車幅方向の両端部分では各種のブラケット５等を介して図示しないキャブボディ（車体骨格）のフロントピラーに固定されている。
そして、図２に示されるように、本実施形態のリーンフォースメント部材４は、図示しない運転席側フレームと、助手席側フレーム（インパネフレーム）１６とから構成される。これらのフレームは、プレス加工により成形された上向きハット状の断面に形成されている。これら運転席側フレームと助手席側フレーム１６とはフレーム第１サポート（サポート）２６を介して締結されている。
【００１５】
フレーム第１サポート２６は、略三角形状のブラケットであり、重量軽減を図るべく、その略中央部分には開口部２７が設けられている。また、このフレーム第１サポート２６は、車両前後方向に延出される水平部２８と、この水平部２８の略中央部分よりも車両前方側から車両上下方向に延出される垂直部２９とを備えている。当該水平部２８は、車両前方側に上記運転席側フレームを載置する一方、乗員側に助手席側フレーム１６を載置してボルト固定されている。これに対し、垂直部２９は、車両前方側に位置するキャブボディにボルト固定されている。
【００１６】
上記助手席側フレーム１６は、長板状部１８が車幅方向に延出され、この長板状部１８の両側端部分には、水平締結部１９及びボディ締結部２０がそれぞれ構成されている。この水平締結部１９はフレーム第１サポート２６にボルトで締結される。一方、ボディ締結部２０は板状ブラケット５を介してフロントピラーにボルトで締結される。また、長板状部１８の略中央部分はＴ字型のフレーム第２サポート（サポート）３０に支持され、このフレーム第２サポート３０との締結部分には水平締結部２１が構成されている。
【００１７】
また、助手席側フレーム１６の長板状部１８には、水平締結部１９と水平締結部２１との略中央部分に空調ユニット（空調機器）８をボルト固定させるユニット締結部２２を備え、更に、水平締結部２１とボディ締結部２０との間にはブロア１１をボルト固定させるブロア締結部２４を備えている。
上記フレーム第２サポート３０は、フレーム第１サポート２４と同様に、車両前後方向に延出される水平部３２と、この水平部３２の略中央部分よりも車両前方側から車両上下方向に延出される垂直部３３とを備えている。この水平部３２は、乗員側に助手席側フレーム１６を載置してボルト固定され、一方、垂直部３３は、車両前方側に位置するキャブボディにボルト固定されている。これらにより、インストルメントパネル１は車体に固定される。
【００１８】
また、フレーム第１サポート２６とフレーム第２サポート３０との下端部分にはロアフレーム３４が締結されている。このロアフレーム３４は、車幅方向に延び、その断面が車両前方側に向けたハット状に形成されており、プレス加工により成形される。
当該ロアフレーム３４は、車両前方側からフレーム第１サポート２６及びフレーム第２サポート３０に向けて配設されている。このロアフレーム３４の両側端部分には、垂直締結部３５、３７がそれぞれ構成され、この垂直締結部３５はフレーム第１サポート２６の下端部分にてボルトで締結され、垂直締結部３７はフレーム第２サポート３０の下端部分にてボルトで締結されている。換言すれば、フレーム第１サポート２６及びフレーム第２サポート３０の各水平部２８、３２では、この各水平部２８、３２の略中央部分よりも乗員側の位置で助手席側フレーム１６に締結され、一方、各垂直部２９、３３では車両前方側の位置でロアフレーム３４に締結されている。
【００１９】
更に、ロアフレーム３４は、その略中央部分に空調ユニット８をボルト固定させるユニット締結部３６を備えている。
そして、図３に示されるように、本実施形態では、助手席側フレーム１６、フレーム第１サポート２６、フレーム第２サポート３０及びロアフレーム３４からなる４つの部材によって井桁状の閉空間４０が構成されており、空調装置６は、この井桁構造４０を中心とした周囲にリーンフォースメント部材４に固定される。
【００２０】
この空調装置６は、空調ユニット８、ブロア１１、ダクト１２並びに操作表示部１４等から構成されている。この空調ユニット８は、蒸発器やヒータコアをその内部に備えたＨＶＡＣユニットである。
図４に示されるように、この空調ユニット８は、その上部分にて乗員側に延出されるフランジ部９と、下部分にて下方に延出されるフランジ部１０とを備えている。そして、この空調ユニット８は、乗員側から車両前方側に向けてリーンフォースメント部材４の上記井桁構造４０内に嵌合される。このとき、フランジ部９の上面と助手席側フレーム１６における長板状部１８の下面とが当接され、一方、フランジ部１０の背面とロアフレーム３４の裏面とが当接される。
【００２１】
次いで、助手席側フレーム１６のユニット締結部２２にて、上方から下方側に向けてボルトを挿入して締結することにより、フランジ部９がリーンフォースメント部材４に固定され、一方、ロアフレーム３４のユニット締結部３６にて、車両前方から乗員側に向けてボルトを挿入して締結することにより、フランジ部１０がリーンフォースメント部材４に固定される。なお、ブロア１１は、乗員側からみて空調ユニット８の左側に配置され、ブロア締結部２４にて助手席側フレーム１６に固定される。また、この空調ユニット８の上側には操作表示部１４が配置されており、更に、操作表示部１４の背面側にはダクト１２が配置されている。
【００２２】
以上のように、本実施形態の車体構造によれば、助手席側フレーム１６、フレーム第１サポート２６、フレーム第２サポート３０及びロアフレーム３４からなる４つのリーンフォースメント部材４の構成部材によって井桁状の閉空間４０を構成させ、この井桁構造の中に空調ユニット８を嵌合してボルト固定していることから、この空調ユニット８がリーンフォースメント部材４に対する鎹の機能を奏している。
【００２３】
従って、このリーンフォースメント部材４の配置と空調ユニット８の配置との相互作用により、従来に比してリーンフォースメント部材４の板厚を増加させることなく、その剛性を確保することができる。この結果、リーンフォースメント部材に対する重量の軽減、ひいては製造コストの低廉化が図られる。また、空調ユニット８の板厚を増加させることも不要になり、空調ユニットの軽量化も達成できる。
【００２４】
更に、井桁状の閉空間４０の中に空調ユニット８を配設してリーンフォースメント部材４と空調ユニット８との固定を行うので、キャブボディの組み立てラインに至る前の段階にて、空調ユニット８、ブロア１１、ダクト１２及び操作表示部１４等から構成された空調装置６の組み立てが可能となる。すなわち、キャブボディの組み立てラインでは、空調装置６の搭載工程やこの搭載後ケーブル接続による調整工程が削減され、キャブボディの組み立て作業の効率化に寄与する。
【００２５】
しかも、助手席側フレーム１６のユニット締結部２２やロアフレーム３４のユニット締結部３６の配設位置は、乗員側から工具を容易に挿入できる位置であり、空調ユニット８は、そのユニット搭載後における、例えば整備作業時にも取り外しが可能となる。
また、従来の如くブラケットを介して空調装置等をリーンフォースメント部材に吊り下げる場合には、その取り付け位置が各々独立して移動し得る。しかしながら、本実施形態の車体構造によれば、リーンフォースメント部材４が上記井桁状の閉空間４０を構成するので、キャブボディへの組み付けの際にも、その取り付け位置を一義的に決定することが可能となる。
【００２６】
更に、上記井桁状の閉空間４０は、フレーム第１サポート２６の水平部２８及びフレーム第２サポート３０の水平部３２では、乗員側の位置で助手席側フレーム１６に締結されており、フレーム第１サポート２６の垂直部２９及びフレーム第２サポート３０の垂直部３３では車両前方側の位置でロアフレーム３４に締結されていることから、乗員の足を配置させるスペースを十分に広く設けることが可能となる。
【００２７】
以上で本発明の一実施形態についての説明を終えるが、本発明は上記実施形態に限定されるものではなく、本発明の趣旨を逸脱しない範囲で種々の変更ができるものである。
例えば、上記実施形態では、助手席側フレーム１６が運転席側フレームとは別個独立して設けられているが、必ずしもこの形態に限定されるものではない。つまり、運転席側フレームと助手席側フレームとが車幅方向において一体成形されていても良く、この場合にも、上述の如くリーンフォースメント部材４の板厚を増加させずに剛性を確保できるとの効果を奏する。
【図面の簡単な説明】
【００２８】
【図１】本発明の一実施形態に係る車体構造における空調装置を配設させたインストルメントパネルのリーンフォースメント部材の斜視図である。
【図２】図１のリーンフォースメント部材の斜視図である。
【図３】図１のリーンフォースメント部材の正面図である。
【図４】（ａ）は図３のａ−ａ線矢視断面図であり、（ｂ）は図３のｂ−ｂ線矢視断面図である。
【符号の説明】
【００２９】
１  インストルメントパネル
４  リーンフォースメント部材
８  空調ユニット（空調機器）
１６  インパネフレーム
１９  水平締結部
２１  水平締結部
２６  フレーム第１サポート（サポート）
２８  水平部
２９  垂直部
３０  フレーム第２サポート（サポート）
３２  水平部
３３  垂直部
３４  ロアフレーム
３５  垂直締結部
３７  垂直締結部
４０  井桁構造（閉空間）
【図１】
2005255046.tif 000003
【図２】
2005255046.tif 000004
【図３】
2005255046.tif 000005
【図４】
2005255046.tif 000006